(57)【要約】【課題】偽造が困難な認証シールを提供する。【解決手段】電子認証シール1は、金属薄膜コイルパターンと金属薄膜コンデンサパターンとからなるシート状の認証用共振回路3を認証シール2の裏面に積層している。電子認証シールリーダ11から電子認証シールの認証用共振回路の共振周波数と同一周波数の電波を送信することにより、電子認証シールリーダ11の送信波と同一周波数の電波が電子認証シールから発信される。電子認証シールリーダ11は、電子認証シール1から発信された電波を受信し、制御部14が受信電波を認識する。電子認証シールリーダが送信した電波とは異なる周波数の電波を受信したときや電波の応答がない場合には、認証対象物10に貼付されている認証シールが正規の認証シールでないことを示し、認証シールの真贋を確実に判定することができる。【選択図】図3
2005303500.tif 000002
【特許請求の範囲】
【請求項１】
絶縁性基材に形成した金属薄膜コイルパターンと金属薄膜コンデンサパターンとからなる共振回路を認証シールの裏面に積層し、共振周波数リーダにて共振周波数を識別できるように構成した電子認証シール。
【請求項２】
絶縁性基材に形成した金属薄膜コイルパターンと金属薄膜コンデンサパターンとからなり、相互に共振周波数が相違する複数の共振回路を備えた請求項１記載の電子認証シール。
【請求項３】
テープ状のシール基材に、認証シールの認証表示部を一定間隔で並列配置し、絶縁性基材に形成した金属薄膜コイルパターンと金属薄膜コンデンサパターンとからなる共振回路を一単位毎の認証表示部の裏面にそれぞれ積層し、一単位の認証シール毎に切断して認証対象物に貼付するように構成した請求項１または２記載の電子認証シール。
【請求項４】
上記認証シールに積層された一つの共振回路、または相互に共振周波数が相違する複数の共振回路の共振周波数を固有の値に設定することにより、共振周波数リーダにて認証シールの真贋を識別できるようにした請求項１、２または３記載の電子認証シール。
【請求項５】
上記請求項１、２、３または４記載の電子認証シールと、該電子認証シールの共振回路の共振周波数を読み取る共振周波数リーダとからなり、共振周波数リーダにより電子認証シールの真贋識別あるいは分別処理を行うように構成した電子認証システム。
【発明の詳細な説明】
【技術分野】
【０００１】
本発明は、重要書簡などの認証を必要とする対象物に貼付する認証シールに関するものであり、特に無線装置によって真贋判別や分別処理を行えるように構成した電子認証シールならびに電子認証システムに関するものである。
【背景技術】
【０００２】
従来、認証を必要とする重要書簡に使用される認証シールについては、特別な偽造防止対策を施していない比較的単純な印刷によるものが多く、近年のコンピュータ技術やコピー技術、印刷技術の進歩により、真贋の見極めが困難なほどに精巧な認証シールの偽造が可能になっている。
【０００３】
また、偽造対策を施した認証シールとしては、ベースフィルムの一面に光反射層と光回折構造体層を積層し、見る角度によって光の回折により色彩が変わるホログラム型の認証シールが知られている（例えば、特許文献１）。
【特許文献１】特開2002-341768号公報
【発明の開示】
【発明が解決しようとする課題】
【０００４】
通常の印刷により作られた認証シールは、偽造が容易であることは前述したとおりである。ホログラム型の認証シールは、偽造が困難であるが製造コストが高いという問題があり、また、真贋の判断は目視によってのみ可能であって、現在のところ何らかの装置によって機械的に真贋判別や分別処理を行うことは困難である。
【０００５】
そこで、偽造が困難であり、且つ機械的に真贋判別や分別処理を行うことができる認証シールを提供するために解決すべき技術的課題が生じてくるのであり、本発明は上記課題を解決することを目的とする。
【課題を解決するための手段】
【０００６】
この発明は、上記目的を達成するために提案するものであり、絶縁性基材に形成した金属薄膜コイルパターンと金属薄膜コンデンサパターンとからなる共振回路を認証シールの裏面に積層し、共振周波数リーダにて共振周波数を識別できるように構成した電子認証シールを提供するものである。
【０００７】
また、絶縁性基材に形成した金属薄膜コイルパターンと金属薄膜コンデンサパターンとからなり、相互に共振周波数が相違する複数の共振回路を備えた電子認証シールを提供するものである。
【０００８】
また、テープ状のシール基材に、認証シールの認証表示部を一定間隔で並列配置し、絶縁性基材に形成した金属薄膜コイルパターンと金属薄膜コンデンサパターンとからなる共振回路を一単位毎の認証表示部の裏面にそれぞれ積層し、一単位の認証シール毎に切断して認証対象物に貼付するように構成した電子認証シールを提供するものである。
【０００９】
また、上記認証シールに積層された一つの共振回路、または相互に共振周波数が相違する複数の共振回路の共振周波数を固有の値に設定することにより、共振周波数リーダにて認証シールの真贋を識別できるようにした電子認証シールを提供するものである。
【００１０】
また、上記電子認証シールと、該電子認証シールの共振回路の共振周波数を読み取る共
振周波数リーダとからなり、共振周波数リーダにより電子認証シールの真贋識別あるいは分別処理を行うように構成した電子認証システムを提供するものである。
【００１１】
認証用共振回路を積層した認証シールは、共振周波数リーダによりその共振周波数を読み取ることができ、認証用共振回路を積層していない偽造認証シールは共振周波数リーダに反応しないため、認証シールの真贋を判別することができる。
【発明の効果】
【００１２】
本発明の電子認証シールならびに電子認証システムは、金属薄膜のコイルとコンデンサとからなる共振回路を認証シールの裏面に積層し、共振周波数リーダによって共振回路の共振周波数を検知することによって、認証シールの種類、或いは真贋を確実に識別することができる。金属薄膜コイルと金属薄膜コンデンサとからなるシート状の共振回路は、低コストであるとともに電気的特性が全く同一のものを偽造することは容易ではないので、認証シールの偽造が困難で、共振周波数リーダによって機械的に真贋の判別や分別処理が可能な電子認証システムを構築することができる。
【発明を実施するための最良の形態】
【００１３】
本発明は、絶縁性基材に形成した金属薄膜コイルと金属薄膜コンデンサとからなる共振回路を認証シールの裏面に積層し、共振周波数リーダにて共振周波数を識別できるように構成することにより、認証シールの偽造が困難な電子認証システムを構築するという目的を達成した。
【実施例１】
【００１４】
図1は本発明の電子認証シールを示し、(a)は平面図、(b)は縦断面図である。電子認証シール1は、認証の内容を印刷された認証シール2と認証用共振回路3を積層した構成であり、認証用共振回路3は接着剤4により認証シール2の裏面に接着されている。
【００１５】
図2は認証用共振回路3を示し、(a)は平面図、(b)は縦断面図である。認証用共振回路3は、ポリエチレンシートなどの絶縁性基材5の表面上に形成した金属薄膜のコイルパターン6と、絶縁性基材5の表裏両面に形成され、絶縁性基材5を介して対向する金属薄膜のコンデンサパターン7, 8からなるコンデンサとによって構成されている。表面側のコンデンサパターン7はコイルパターン6の外側終端部6aに接続し、裏面側のコンデンサパターン8から絶縁基材の中心方向へ伸びる電極部8aと表面側のコイルパターン6の中心側端部6bは、絶縁性基材5を貫通する接続子9によって接続されている。これによりコイルパターン6とコンデンサパターン7, 8は互いに接続され、固有の共振周波数を有する共振回路が形成される。
【００１６】
図3は電子認証シール1を用いた電子認証システムの構成を示し、10は電子認証シール1を貼付した書類などの認証対象物、11は電子認証シールリーダであり、電子認証シールリーダ11は、送信部12、受信部13及び送信部と受信部を制御する制御部14を具えている。
【００１７】
電子認証シールリーダ11の送信部12から電子認証シール1の認証用共振回路3の共振周波数と同じ周波数の電波を送信することにより、電子認証シール1の認証用共振回路3が送信波に共振して電力が誘起され、電子認証シール1の送信波と同一周波数の電波が認証用共振回路3から発信される。電子認証シールリーダ11の受信部13は、電子認証シール1の認証用共振回路3から発信された電波を受信し、制御部14が受信電波を認識する。
【００１８】
このように、電子認証シール1が電子認証シールリーダ11から発信される周波数と同一周波数の電波を返してくることにより、電子認証シール1が正規の認証シールであると判定することができる。
【００１９】
一方、電子認証シールリーダ11が送信した電波とは異なる周波数の電波を受信したときや、電波の応答が全くない場合には、認証対象物に貼付されている認証シールが正規の認証シールでないことを示している。このようにして、認証シールの真贋を確実に判別することができる。
【実施例２】
【００２０】
前述した図1および図2の電子認証シール1は、認証用共振回路として1つの共振回路を搭載した例を示しているが、認証シールの偽造防止効果をさらに強化するには、認証用共振回路として周波数が互いに異なるものを複数用意し、これらの共振回路を組み合わせることにより、より複雑な識別コードを構成することができる。
【００２１】
図4は電子認証シールの別の実施例を示し、(a)は電子認証シール21の平面図、(b)は電子認証シール21の縦断面図である。ここでは、認証シール22に共振周波数の異なる二つの認証用共振回路23a, 23bを搭載した構成を示している。電子認証シールリーダは、これら二つの認証用共振回路23a, 23bの共振周波数と等しい二種類の周波数の電波を交互または同時に送信し、電子認証シール21が二種類の周波数の電波の両方に対して応答する場合にのみ認証シールが正規のものであること判定され、どちらか一方あるいは両方が反応しなければ、当該認証シールは偽造されたものとみなされる。
【００２２】
このように複数種類の共振回路を組合せて用いることにより偽造防止効果がより一層強化されることになる。また、さらに多くの共振回路を組み合わせることによりその効果は一層確実なものとなることは言うまでもない。
【実施例３】
【００２３】
図5は電子認証シールの他の実施例を示し、(a)は電子認証シール31の平面図、(b)は電子認証シール31の縦断面図である。32はテープ状の長いシート基材であり、シート基材32上に認証シールであることを表示する認証表示部33が一定間隔で印刷されており、認証表示部33のそれぞれの裏面に認証用共振回路34が設けられている。一つの認証表示部33あたりの認証用共振回路34の数は、実施例１のように一つでもよく、実施例2のように複数であってもよい。
【００２４】
このようにテープ状に形成された電子認証シール31は、相互に隣接する認証表示部33の中間で切断して一枚ずつ電子認証シールとして使用することができる。また、各認証表示部33の中間にミシン目を入れておけば切断が容易である。
【００２５】
尚、この発明は上記の実施形態に限定するものではなく、この発明の技術的範囲内において種々の改変が可能であり、この発明がそれらの改変されたものに及ぶことは当然である。
【図面の簡単な説明】
【００２６】
【図１】本発明の電子認証シールの一形態を示し、(a)は平面図、(b)は縦断面図である。
【図２】電子認証シールに用いる共振回路の一形態を示し、(a)は平面図、(b)は縦断面図である。
【図３】本発明の電子認証システムの構成図。
【図４】本発明の電子認証シールの他の実施形態を示し、(a)は平面図、(b)は縦断面図である。
【図５】本発明の電子認証シールの他の実施形態を示し、(a)は平面図、(b)は縦断面図である。
【符号の説明】
【００２７】
1      電子認証シール
2      認証シール
3      認証用共振回路
4      接着剤
5      絶縁性基材
6      コイルパターン
7. 8   コンデンサパターン
10     認証対象物
11     電子認証シールリーダ
12     送信部
13     受信部
14     制御部
21     電子認証シール
22     認証シール
23a    認証用共振回路
23b    認証用共振回路
31     電子認証シール
32     シート基材
33     認証表示部
34     認証用共振回路
【図１】
2005303500.tif 000003
【図２】
2005303500.tif 000004
【図３】
2005303500.tif 000005
【図４】
2005303500.tif 000006
【図５】
2005303500.tif 000007